(57)【特許請求の範囲】
【請求項１】
広告の内容を表示するための広告内容情報、広告内容を識別するための広告識別情報及び接続情報を含んで構成される広告内容識別情報を示す２次元コードが印刷された広告媒体と、
前記２次元コードを読取る読取手段と、
表示部を有すると共に前記読取手段が読取った前記２次元コードが示す広告内容識別情報を記憶可能に設けられ、読出操作により記憶している前記広告内容識別情報が読出された場合は当該広告内容識別情報に含まれる前記広告内容情報を前記表示部に表示すると共に、接続操作が行われた場合は当該広告内容識別情報に含まれる接続情報に基づいて接続先にアクセスする携帯形通信端末と、
この携帯形通信端末が前記広告識別情報を送信してきたときは、当該広告識別情報に基づいて広告に関する新たな広告情報を前記携帯形通信端末に送信すると共に、当該広告識別情報を蓄積記憶するサーバとを備え、
前記サーバは、前記広告識別情報により識別される各広告毎に前記携帯形通信端末の接続回数をカウントすることによりアクセス情報を作成し、
前記サーバが作成したアクセス情報を広告依頼主に提出することを特徴とする情報提供サービス。
【請求項２】
前記広告内容識別情報は、広告媒体を識別するための広告媒体固有の情報を含んでなることを特徴とする請求項１記載の情報提供サービス。
【請求項３】
前記広告内容識別情報は、前記広告識別情報と前記接続情報とを識別するための識別フラグを有してなることを特徴とする請求項１または２記載の情報提供サービス。
【請求項４】
前記サーバは、広告情報を一元的に管理する情報センターに設置されていることを特徴とする請求項１乃至３の何れかに記載の情報提供サービス。
【発明の詳細な説明】
【０００１】
【発明の属する技術分野】
本発明は、２次元コードが示す接続先に接続する機能を備えた携帯形通信端末を利用した情報提供サービスに関する。
【０００２】
【従来の技術】
近年、メーカにおいては、利用者に商品をアピールして購買意欲を高めるために、ポスター、電車内の吊り広告、或いは雑誌などの広告掲載ページに商品或いはサービスの広告を掲載するようにしている。
【０００３】
これらの宣伝方法では、情報量が少ないことから、広告にＷｅｂサイトのＵＲＬ（Uniform Resource Locator）を記載したり、フリーダイヤルの電話番号を記載して、利用者が携帯電話機にＵＲＬを入力してＷＷＷサーバのＷｅｂサイトにアクセスしたり、フリーダイヤルに接続することにより、商品或いはサービスに関する詳しい情報を入手可能とすることが行われている。
【０００４】
【発明が解決しようとする課題】
しかしながら、携帯電話機にＵＲＬを入力したり、フリーダイヤルの電話番号を入力する作業はきわめて面倒である。特にＵＲＬはアルファベットや数字などの文字列で構成されているのに対して、携帯電話機に配設されている操作キーは数字キーであり且つ小さいため、文字列を入力する作業は極めて面倒な操作となり、入力ミスを犯しやすい。
【０００５】
一方、メーカにとっては、ＷＷＷサーバへのアクセス回数或いはフリーダイヤルへの接続回数に基づいて利用者のアクセス数を把握することができるものの、何れの広告或いは広告媒体を見た利用者からのアクセスかは分らない。このため、同じ宣伝内容の広告であっても、利用者に対する広告の宣伝効果を把握することができず、広告依頼主に対しても何れの広告媒体による宣伝効果が高いかを提供することができないという欠点がある。
【０００６】
本発明は上記事情に鑑みてなされたもので、その目的は、利用者が広告に掲載された商品或いはサービスに関する情報を簡単に入手することができると共に、広告依頼主に対して宣伝効果の判断材料を提供することができる情報提供サービスを提供することにある。
【０００７】
【課題を解決するための手段】
請求項１の発明によれば、広告依頼主は、広告媒体に商品或いはサービスの広告と共に広告内容を識別するための広告識別情報及び接続情報を含んで構成される広告内容識別情報を示す２次元コードを印刷する。そして、広告を見た利用者が商品或いはサービスの詳細を知りたいときは、広告媒体に印刷されている２次元コードを読取手段で読取り、携帯形通信端末により２次元コードが示す接続情報に基づいてサーバにアクセスして広告識別情報を送信する。
【０００８】
サーバにおいては、広告内容識別情報を受信したときは、その広告内容識別情報に基づいて新たな広告情報を携帯形通信端末に送信する。これにより、利用者は、商品或いはサービスに関する詳細情報を知ることができる。
【０００９】
一方、サーバは、携帯形通信端末から受信した広告内容識別情報に基づいて広告毎の効果を集計するので、広告依頼主に対して広告の効果を報告することができる。
【００１０】
この場合、広告内容識別情報は広告の内容を表示するための広告内容情報を含んでいるので、利用者は、表示された広告内容情報に基づいて商品或いはサービスの内容を知ることができる。また、携帯形通信端末は広告内容識別情報を記憶して表示部に表示可能であるので、利用者は、何時でも表示部に表示された広告内容識別情報に基づいて広告の内容を確認してサーバにアクセスすることができる。
さらに、サーバは広告識別情報により識別される各広告毎に携帯形通信端末の接続回数をカウントすることによりアクセス情報を作成するので、アクセス情報を自動的に作成することが可能となる。
【００１１】
請求項２の発明によれば、広告内容識別情報は広告媒体を識別するための広告媒体固有の情報を含んでいるので、広告媒体毎に広告の効果を求めることができる。
【００１２】
請求項３の発明によれば、識別フラグに基づいて広告識別情報と接続情報とを容易に分類することができるので、データ処理を簡単化することができる。
【００１５】
請求項４の発明によれば、サーバは広告情報を一元的に管理する情報センターに設置されているので、広告依頼主は情報の集計の必要性がなくなる。
【００１６】
【発明の実施の形態】
以下、本発明の一実施の形態を図面を参照して説明する。
図１は本実施の形態の概要を示している。この図１において、本発明の情報提供サービスを利用したい広告依頼主１は、情報センター２のＷＷＷサーバ３に所定の情報を登録する。この情報は、広告対象の商品或いはサービスの詳細情報である。
【００１７】
情報センター２は、広告依頼主１からＷＷＷサーバ３に所定の情報が登録されたときは、広告依頼主１に対して広告固有の広告内容識別情報を付与する。この広告内容識別情報には、広告を識別するための情報の他に広告の内容を表示するためのデータ及び情報センター２に接続するための接続情報が含まれている。
【００１８】
広告依頼主１は、情報センター２から付与された広告内容識別情報が示す２次元コードとしてのＱＲコード（本出願人が開発したコードで後述）３を広告代理店或いは出版社などの広告主５に対してポスター或いは吊広告或いはタウン誌などの広告媒体６に印刷するように依頼する。
【００１９】
情報提供サービスを受ける利用者が使用する携帯形通信端末としての携帯電話機７にはＱＲコード４の読取機能が備えられており、広告を見た利用者が広告に印刷されている商品或いはサービスに関する情報を入手したいときは、携帯電話機７により広告に印刷されているＱＲコード４を読取り、そのＱＲコード４が示す情報を携帯電話機７に記憶する。このＱＲコード４には商品或いはサービスに関する情報が記憶されているので、利用者は、携帯電話機７に記憶されている商品或いはサービスに関する情報を携帯電話機７自身或いは携帯電話機７に接続されたＰＤＡ（Personal Digital Assistants ）８或いはカーナビゲーション９に表示させることにより何時でも商品或いはサービスに関する情報を取得することができる。
【００２０】
ここで、ＱＲコード４には情報センター２にアクセスするための接続情報が含まれているので、商品或いはサービスに関する詳細情報を知りたい利用者は、その接続情報に基づいて情報センター２にアクセスする。
情報センター２は、利用者が携帯電話機７でアクセスしてきたときは広告依頼主１が登録した商品或いはサービスに関する詳細情報を携帯電話機７に送信する。これにより、利用者は、商品或いはサービスに関する詳細情報を何時でも入手することができる。
【００２１】
一方、情報センター２は、上述したように利用者が携帯電話機７でアクセスしてきたときは携帯電話機７に記憶されている広告内容識別情報を入力し、その広告内容識別情報に基づいて広告の個別情報を情報データベース１０に蓄積する。そして、情報センター２は、広告依頼主１と契約したタイミングで、情報データベース１０に記憶されている広告の個別情報に基づいてアクセスレポートを作成して広告依頼主１に提出する。従って、広告依頼主１は、情報センター２から提出されたアクセスレポートに基づいて広告の効果を把握することができる。
【００２２】
図２は本発明の通信システムを概略的に示している。この図２において、通信網１１としてインターネットを利用する場合は、利用者の携帯電話機７及び広告依頼主１の通信装置１２は、インターネットを通じて情報センター２のＷＷＷサーバ３におけるＷｅｂサイトにアクセス可能となっている。
また、通信網１１として電話網を利用する場合は、利用者の携帯電話機７及び広告依頼主１の通信装置１２は、電話網を通じて情報センター２のフリーダイヤルに接続可能となっている。
【００２３】
図３は携帯電話機７を示している。この図３において、携帯電話機７の筐体１３の正面には、複数の操作キーからなるキー操作部１４、マイク１５、ＬＣＤからなる表示部１６、スピーカ１７、読取手段としての撮像部１８（図３ではレンズのみを示す）を有して構成されている。また、筐体１３の上面部には、伸縮式のロッドアンテナ１９が配設されている。
上記キー操作部１４には、通話開始キー、通話終了キー、リダイヤルキー、  「０」〜「９」の数字キー、＊キー、＃キー、スクロールキー、撮像部１８のシャッタキー、インターネット用のアクセスキーなどが設けられている。
【００２４】
図４は携帯電話機７の電気的構成を示す機能ブロック図である。この図４において、携帯電話機７は、電池２０からの給電状態で動作するようになっている。この電池２０は、携帯電話機７が充電装置に装着された状態で充電端子２１から充電部２２を通じて充電可能となっている。
【００２５】
また、携帯電話機７はＣＰＵ２３を主体として構成されており、このＣＰＵ２３は、キー操作部１４に対する操作に応じてＲＯＭ２４に記憶されたプログラムに基づいて動作するようになっており、必要に応じて表示部１６に所定の文字を表示したり、ワークデータを不揮発性ＲＡＭ２５に記憶したり、発音体２６を所定タイミングで駆動する。
マイク１５からの音声信号は、音声制御部２７において音声データに変換される。この音声制御部２７において変換された音声データは、無線制御部２８において変調されてロッドアンテナ１９から電波信号として送信される。
【００２６】
一方、ロッドアンテナ１９が受信した電波信号は、無線制御部２８において復調されてから、音声制御部２７において音声信号に変換されてスピーカ１７に与えられ、スピーカ１７から音声として出力される。
これらの音声制御部２７及び無線制御部２８はＣＰＵ２３からの指令に応じて動作するようになっている。
【００２７】
また、ＣＰＵ２３は、携帯電話機７がＰＤＡ８或いはカーナビゲーション８に接続された状態で、外部信号端子２９から外部インターフェース部３０を通じて入力するＰＤＡ８或いはカーナビゲーション８からのデータをロッドアンテナ１９から電波として送信すると共に、ロッドアンテナ１９が受信したデータを外部インターフェース部３０を通じてＰＤＡ８或いはカーナビゲーション８に出力するようになっている。
【００２８】
さて、ＣＰＵ２３は、携帯電話機７に設けられた撮像部１８が撮影した画像をモードに応じて処理するようになっている。つまり、携帯電話機７には写真撮影モードまたはＱＲコード読取モードが設定されており、キー操作部１４のモード切替キーを操作することによりモードを選択設定できるようになっている。
【００２９】
具体的には、携帯電話機７に設けられている撮像部１８は、通常のデジタルカメラと同様にデジタル写真を撮影可能であると共に、情報をコード化したＱＲコード４を撮影したときは、そのＱＲコード４をデコードして文字情報に変換可能となっている。この場合、携帯電話機７によって普通のデジタルカメラと同様な写真を撮影したい場合は、写真モードを選択設定した状態で、キー操作部１４中のシャッタキーを操作するように構成されており、シャッタキーが操作されたときは、撮像部１８により写真が撮影され、その撮影された写真画像が表示部１６に表示されると共に写真画像データがＲＡＭ２５に記憶されるようになっている。
【００３０】
一方、携帯電話機７によってＱＲコード４を読取りたい場合には、ＱＲコード読取モードを選択設定した状態で、キー操作部１４のシャッタキーを操作するように構成されている。この場合、撮像部１８によりＱＲコード４が撮影されたときは、撮影されたＱＲコード４の画像データがＣＰＵ２３に与えられ、ＣＰＵ２３は、ＱＲコード４が与えられたときは、そのＱＲコード４をデコードし、デコードした情報を表示部１６に表示すると共にＲＡＭ２５に記憶するようになっている。
【００３１】
次に、ＱＲコード４について簡単に説明する。
ＱＲコード４は図１に示すように位置決めシンボルを含んで構成されており、その位置決めシンボルの位置に基づいてＱＲコード４が示すデータが解読されるようになっている。
【００３２】
図５は位置決めシンボルを示している。この図５において、位置決めシンボル３１は、これの中心を横切るパターン（図４中に示す（ａ），（ｂ），（ｃ）は代表的なパターン）の明暗成分比は暗，明，暗，明，暗＝１：１：３：１：１となるように設定されている。従って、ＣＰＵ２３は、ＱＲ画像中の明（１）の連続する長さ及び暗（０）の連続する長さの比を求め、この長さの比から、ＱＲコード４の位置決めシンボル３１に該当するパターンを検出することができると共に、コード処理を実行することにより、位置決めシンボルが適切な位置に３つ存在するかに基づいてＱＲコード４が画像中に存在するかを判定することができる。
【００３３】
即ち、位置決めシンボル３１の位置が、位置的に３つのグループに分けられるかを判定し、分けられた場合は、（白）／０（黒）のパターンから各位置決めシンボル３１の３つの中心位置を求め、その位置が３つの頂点に存在する配置状態となっているかを判断する。この位置決めシンボル３１が適切な位置に存在していた場合は、位置決めシンボル３１に基づいて２次元情報コードを構成する各セルの位置を決定してから、各セルの種類（黒・白）を決定する。そして、各セルの種類に基づいてデコードを実行し、２次元情報コードが表している情報を得ると共に、この解読した情報が正常かを判断し、正常な場合は、解読した情報を正規の情報と判断するようになっている。
【００３４】
図６はＱＲコード４に記録する情報を示している。この図６において、ＱＲコード４には、広告内容を識別するための広告内容識別情報３２が記憶されており、当該広告内容識別情報３２は、広告内容情報３２ａ、広告識別情報３２ｂ、接続情報３２ｃから構成されている。この場合、広告内容情報３２ａとは、広告の内容（商品やサービス名、広告依頼主など）を示す文字情報で、携帯電話機７の表示部１６に表示される情報である。また、広告識別情報３２ｂは、広告を識別するための情報で、広告識別コード３２ｂ１、媒体識別コード３２ｂ２及び識別フラグ３３からなる。広告識別コード３２ｂ１は広告の種別（広告内容及び広告地域を示す情報）を識別するためのコードであり、媒体識別コード３２ｂ２は広告媒体６を識別する媒体に固有のコードである。そして、識別フラグ３３は、広告識別情報の最後に付与されて広告識別情報３２ｂと接続情報３２ｃとを分類するためのデータである。尚、この識別フラグ３３は、データの構成に応じて任意に設ければよく、広告識別情報３２ｂと接続情報３２ｃとの間にあってもよいし、他の位置にあって各情報の位置を示すものであってもよい。
【００３５】
一方、接続情報３２ｃは、情報センター２のＷＷＷサーバ３におけるＷｅｂサイトのＵＲＬ若しくはフリーダイヤルが記憶されており、接続情報３２ｃが示すＵＲＬを送信することにより情報センター２のＷＷＷサーバ３におけるＷｅｂサイトにアクセスしたり、接続情報３２ｃが示すフリーダイヤルに接続することにより自動音声或いは担当係員による商品或いはサービスに関する詳細情報を聞くことができる。
【００３６】
ところで、本実施の形態の通信システムでは、周知のクライアントサーバシステムを利用している。このクライアントサーバシステムについて簡単に説明する。
携帯電話機７のＲＯＭ２４には、インターネットに接続するためのソフトウエアとして例えばＷＷＷブラウザが記憶されている。このＷＷＷブラウザを起動させることにより、携帯電話機７からインターネットに接続されているＷＷＷサーバ上に提供されているＷｅｂサイトにアクセスして必要なコンテンツのデータのダウンロードしたり、ＷＷＷサーバ上に設けられたデータベースにアクセスしてデータを書き込んだりすることが可能となっている。従って、本実施の形態では、携帯電話機７は、携帯電話の無線電話網の基地局からインターネットを介して情報センター２のＷＷＷサーバ３にアクセスすることによりＷｅｂサイトにアクセスすることが可能となっている。
【００３７】
次に上記構成の作用について説明する。
図１に示すように、広告依頼主１は、本情報提供サービスを利用したいときは、情報センター２のＷＷＷサーバ３に広告に関する情報を登録する。このとき、情報センター２は、広告依頼主１に対して広告識別情報を付与するので、広告依頼主１は、付与された広告識別情報を示すＱＲコード４をポスター或いは吊り広告或いはタウン誌などの広告掲載ページなどの広告媒体６に印刷するように広告代理店或いは出版社などの広告主５に依頼する。
【００３８】
さて、広告媒体６の広告を見た利用者が商品或いはサービスに関する情報を知りたい場合は、携帯電話機７の電源をオンする。これにより、携帯電話機７は、ＲＯＭ２４に記憶されたプログラムに基づいて動作するようになる。
図７は携帯電話機７の動作を示している。この図７において、携帯電話機７のＣＰＵ２３は、電源がＯＮしたときは、まず、ＯＦＦタイマを始動する（Ｓ１０１）。このＯＦＦタイマは、携帯電話機７の電池２０を節電するためのもので、タイムアップしたときは（Ｓ１０２：ＹＥＳ）、終了処理を実行する（Ｓ１０８）。
また、タイムアップするのに先立って終了操作が行われた場合も（Ｓ１０３：有）、終了処理を実行する（Ｓ１０８）。
【００３９】
さて、利用者が携帯電話機７の撮像部１８によりＱＲコード４の読取操作を行うには、携帯電話機７の撮像部１８のレンズをＱＲコード４に対向させた状態でキー操作部１４のシャッタキーを操作する。
ここで、携帯電話機７のＣＰＵ２３は、読取操作が行われたときは、コード読取り処理を実行する（Ｓ１０７）。
【００４０】
図８はＣＰＵ２３のコード読取処理を示している。この図８において、ＣＰＵ２３は、まず、画像データを入力してから（Ｓ２０１）、２値画像データを作成する（Ｓ２０２）。
続いて、２値画像データに位置決めシンボルの特徴パターンが有るかを検索し（Ｓ２０３）、特徴パターンが無いときは（Ｓ２０４：無）、広告コードではないことを表示部１６に表示する。
【００４１】
一方、２値画像データに特徴パターンが有るときは（Ｓ２０４：有）、位置決めシンボルにより決定されたコードの外周位置を調べてコード領域を決定する  （Ｓ２０５）。
続いて、位置決めシンボルからコード領域に位置するデータセルの位置を求め、各データセルの明暗を判定する（Ｓ２０６）。
続いて、各データセルをデータビット列に変換すると共に（Ｓ２０７）、データビット列の誤り検査を行い誤りがあれば訂正してから（Ｓ２０８）、データビット列を文字コードに変換する（Ｓ２０９）。
【００４２】
ここで、ＣＰＵ２３は、文字コード中に所定の識別フラグ３３が含まれているかを判断し（Ｓ２１０）、含まれていない場合は（Ｓ２１０：無）、広告コードでないことを表示部１６に表示する（Ｓ２１３）。
一方、文字コードに識別フラグ３３が含まれている場合は（Ｓ２１０：有）、解読したデータを分類する（Ｓ２１１）。つまり、識別フラグ３３は図６に示したように文字コード中の特定の位置に配置されているので、識別フラグ３３との位置関係に基づいて広告内容情報３２ａ、広告識別情報３２ｂにおける広告識別コード３２ｂ１及び媒体識別コード３２ｂ２、接続情報３２ｃに分類することができる。そして、斯様に分類した情報のうち、広告内容情報を表示部１６に表示する（Ｓ２１２）。この広告内容情報とは、広告の内容を示すもので、店の場合はマップコード或いは営業情報などであり、商品の場合は写真、価格、注文先などである。これにより、利用者は、広告の内容（商品やサービス名、広告依頼主など）を知ることができる。
【００４３】
図９は上述したようにして携帯電話機７のＲＡＭ２５に分類されて記憶された情報の一例を示している。この図９において、ＲＡＭ２５には広告内容、接続情報、広告識別コード、媒体識別コードが記憶されている。この場合、接続情報は、情報センター２のＷＷＷサーバ３のＷｅｂサイト若しくは情報センター２のフリーダイヤルの何れかであり、Ｗｅｂサイトに接続したときはコンテンツをダウンロードすることにより商品或いはサービスに関する詳細情報を見ることができ、フリーダイヤルに接続したときは、自動音声或いは担当係員により商品或いはサービスに関する詳細情報を聞くことができる。
【００４４】
このような広告内容識別情報は携帯電話機７に順に登録されるようになっており、利用者は、キー操作部１４の読出キーに対する操作により任意の広告内容識別情報を読出して当該広告内容識別情報に含まれる広告内容情報を表示部１６に表示することができるので、何時でも広告内容情報を見ることができる。
【００４５】
この場合、利用者が広告内容情報よりも詳細に商品やサービスの内容を知りたいときは、読出操作により広告内容情報を表示させた状態でキー操作部１４の接続キーを操作する。
すると、携帯電話機７のＣＰＵ２３は、図７に示すように接続操作が行われたときは（Ｓ１０４：有）、情報センター２への接続方法を表示部１６に表示してから（Ｓ１１０）、表示部１６に表示された接続方法に基づいて情報センター２に接続する（Ｓ１１１）。
【００４６】
この場合、接続方法として情報センター２のＷＷＷサーバ３に設定されたＷｅｂサイトのＵＲＬに接続するように表示されるもので、自動接続モードが設定されているときは、ＵＲＬに自動的に接続する。つまり、ＷＷＷブラウザが自動的に起動され、携帯電話網及びインターネットを介して情報センタ２ーのＷＷＷサーバ３のＷｅｂサイトにアクセスする。このアクセスに応じて情報センター２のＷＷＷサーバ３におけるＷｅｂサイトから、商品或いはサービスに関する画像や文字や音声などの情報（コンテンツデータ）をダウンロードして携帯電話機７に取込んで表示部１６に表示することができる。
【００４７】
また、非自動モードが設定されているときは、表示部１６にはアクセス確認のメッセージが表示されるので、キー操作部１４の所定のキーを操作することにより、情報センター２のＷＷＷサーバ３におけるＷｅｂサイトにアクセスすることができる。
【００４８】
情報センター２のＷＷＷサーバ３においては、携帯電話機７からアクセスされたときは、広告識別コード及び媒体識別コードの送信を促す情報を送信するので、携帯電話機７のＣＰＵ２３は、その様な情報を受信したときは（Ｓ１１２）、記憶している広告識別コード及び媒体識別コードをＷＷＷサーバ３に送信する  （Ｓ１１３）。
【００４９】
情報センター２のＷＷＷサーバ３においては、携帯電話機７から広告識別コード及び媒体識別コードが送られてきたときは、それらを蓄積記憶すると共に、広告識別コードに該当する詳細情報を送信するので、携帯電話機７のＣＰＵ２３は、広告識別コードに該当する詳細情報を受信したときは（Ｓ１１４）、受信した詳細情報を表示部１６に表示する（Ｓ１１５）。従って、利用者は、広告或いはサービスに関する詳細情報を見ることができる。
【００５０】
尚、携帯電話機７のＣＰＵ２３は、情報センター２への接続方法が電話番号  （フリーダイヤル）であったときは、当該電話番号に携帯電話網及び公衆電話網を通じて接続することにより情報センター２と情報の授受を行うようになっている。
【００５１】
ところで、情報センター２においては、上述したようにして携帯電話機７からＷＷＷサーバ３にアクセスされたときは、広告依頼主１毎にアクセス情報を蓄積するようになっている。
図１０は情報センター２におけるアクセス情報の集計結果の一例を示している。この図１０において、情報センター２におけるアクセス情報としては、広告依頼主１毎に、広告識別コード、媒体識別コード、内容別アクセス数が設定されている。広告識別コードにより製品或いはサービスの種別が区分され、製品或いはサービス毎に広告媒体６の種別が設定されている。
【００５２】
内容別アクセス数としては、広告媒体６毎に複数の内容が設定されていると共に、その集計期間が設定されている。この複数の内容とは、利用者が情報センター２のＷＷＷサーバ３におけるＷｅｂサイトの何れのページ（ホームページ、商品のリンクページ、広告依頼主のリンクページなど）にアクセスしたかを示すもので、利用者の関心事を示している。尚、図１０中の「−」は該当するページが存在しないことを示している。
【００５３】
以上のようにして情報センター２にアクセス情報が集積されるので、情報センター２においては、集計期間が終了したときは、広告依頼主１に対して製品毎、さらには同一の製品であっても広告媒体６毎、さらには同一の広告媒体６であっても内容毎のアクセス数に基づいて広告の効果を集計したアクセスレポートを提出する。従って、広告依頼主は、提出されたアクセスレポートに基づいて広告の効果を判断し、広告の効果が少ないと判断したときは、広告の仕方を工夫することにより広告の効果を高める。
【００５４】
また、携帯電話機７には広告識別情報を記憶することができるので、利用者は、所望に応じて情報センター２のＷＷＷサーバ３にアクセスすることにより、商品の詳細情報を見ることができる。
以上のような情報提供サービスを構築することにより、情報センター２にとっては、広告依頼主１に対して広告効果のアクセスレポート料金を徴収して運営費を賄うことができる。
【００５５】
このような実施の形態によれば、広告媒体６に広告識別情報を示すＱＲコード４を印刷し、広告を見た利用者がＱＲコード４を読取る機能を有した携帯電話機７によりＱＲコード４を読取ったときは、そのＱＲコードが示す情報を携帯電話機７に記憶すると共に、利用者が携帯電話機７に記憶した接続情報に基づいて情報センター２にアクセスしたときは商品或いはサービスに関する新たな情報を入手することができるので、利用者にとっては、商品或いはサービスに関する情報を簡単に保存して何時でも見ることができ、また、広告依頼主１に対しては携帯電話機７から送信された広告識別情報に基づいて広告の効果を提供することができるので、利用者及び広告依頼主１の両者に対して有益な情報を提供することができる。
また、情報センター２で一次的な対応を行うことができるので、利用者のアクセスに対する広告依頼主の対応が容易となり、広告依頼主の負担を大幅に軽減することができる。
【００５６】
本発明は、上記実施の形態に限定されるものではなく、次のように変形または拡張できる。
デジタルカメラを携帯電話機に接続し、デジタルカメラで撮影した２次元コードを携帯電話機に取込むようにしてもよい。
２次元コードとしてはＱＲコード４以外のものに適用するようにしてもよい。
【図面の簡単な説明】
【図１】本発明の一実施の形態におけるシステム全体を示す概略図
【図２】通信のシステムを示す概略図
【図３】携帯電話機の正面図
【図４】携帯電話機の電気的構成を示すブロック図
【図５】ＱＲコードの位置決めシンボルを示す図
【図６】ＱＲコードが示す広告内容識別情報を示す図
【図７】携帯電話機の動作を示すフローチャート
【図８】携帯電話機のコード読取処理を示すフローチャート
【図９】携帯電話機に登録された情報を示す図
【図１０】情報センターに集計されたアクセス情報を示す図
【符号の説明】
１は広告依頼主、２は情報センター、３はＷＷＷサーバ、４はＱＲコード（２次元コード）、６は広告媒体、７は携帯電話機、１１は通信網、１８は撮像部  （読取手段）、３２は広告内容識別情報、３２ａは広告内容情報、３２ｂは広告識別情報、３２ａ１は媒体識別コード、３２ｂ１は広告識別コード、３２ｃは接続情報、３３は識別フラグである。
【図１】
0003888049.tif 000002
【図２】
0003888049.tif 000003
【図３】
0003888049.tif 000004
【図４】
0003888049.tif 000005
【図５】
0003888049.tif 000006
【図６】
0003888049.tif 000007
【図７】
0003888049.tif 000008
【図８】
0003888049.tif 000009
【図９】
0003888049.tif 000010
【図１０】
0003888049.tif 000011